(57)【要約】【課題】照射部の副走査方向及び照射方向における振動を抑制する。【解決手段】被照射面へ光を照射し且つ該光を主走査方向へ主走査し、副走査方向よりも該光の照射方向で剛性が高い照射部と、前記照射部の前記主走査方向の一端部及び他端部を前記照射方向に支持する第１支持部と、前記一端部の前記第１支持部と前記他端部の前記第１支持部との間で前記副走査方向に前記照射部を支持する第２支持部と、を備える。【選択図】図３
2015000549.tif 000002
【特許請求の範囲】
【請求項１】
被照射面へ光を照射し且つ該光を主走査方向へ主走査し、副走査方向よりも該光の照射方向で剛性が高い照射部と、
前記照射部の前記主走査方向の一端部及び他端部を前記照射方向に支持する第１支持部と、
前記一端部の前記第１支持部と前記他端部の前記第１支持部との間で前記副走査方向に前記照射部を支持する第２支持部と、
を備える光照射装置。
【請求項２】
前記照射部は、被照射面へ光を照射する素子が前記主走査方向に沿って複数配置され、
前記第２支持部は、前記主走査方向における前記素子が配置された領域内で前記照射部を支持する請求項１に記載の光照射装置。
【請求項３】
像保持体と、
前記被照射面としての前記像保持体の表面へ光を照射して潜像を形成する請求項１又は２に記載の光照射装置と、
を備える画像形成装置。
【発明の詳細な説明】
【技術分野】
【０００１】
本発明は、光照射装置、画像形成装置に関する。
【背景技術】
【０００２】
特許文献１には、軸方向両端部の非画像領域に位置決め用ベース部材２１ｂを有する静電潜像担持体２１と、位置決め用ベース部材２１ｂのそれぞれと当接する当接部材２３ｐを有する略箱体状に形成された書き込みヘッド２３Ｌと、書き込みヘッドを弾性部材Ｓを介して支持すると共に、書き込みヘッド２３Ｌに対して移動可能に形成された可動支持部材２３Ｍと、書き込みヘッド２３Ｌと可動支持部材２３Ｍとで形成される構造体の固有振動数ｆｎを変更することにより、外乱による加振周波数との共振を回避して書き込みヘッド２３Ｌの振動を抑制する振動抑制手段と、を備える構成が開示されている。
【先行技術文献】
【特許文献】
【０００３】
【特許文献１】特開２００６−１９５１２９号公報
【発明の概要】
【発明が解決しようとする課題】
【０００４】
本発明は、照射部の副走査方向及び照射方向における振動を抑制することを課題とする。
【課題を解決するための手段】
【０００５】
請求項１の発明は、被照射面へ光を照射し且つ該光を主走査方向へ主走査し、副走査方向よりも該光の照射方向で剛性が高い照射部と、前記照射部の前記主走査方向の一端部及び他端部を前記照射方向に支持する第１支持部と、前記一端部の前記第１支持部と前記他端部の前記第１支持部との間で前記副走査方向に前記照射部を支持する第２支持部と、を備える。
【０００６】
請求項２の発明では、前記照射部は、被照射面へ光を照射する素子が前記主走査方向に沿って複数配置され、前記第２支持部は、前記主走査方向における前記素子が配置された領域内で前記照射部を支持する。
【０００７】
請求項３の発明は、像保持体と、前記被照射面としての前記像保持体の表面へ光を照射して潜像を形成する請求項１又は２に記載の光照射装置と、を備える。
【発明の効果】
【０００８】
本発明の請求項１の構成によれば、本構成における照射部及び第２支持部を有さない場合に比べ、照射部の副走査方向及び照射方向における振動を抑制できる。
【０００９】
本発明の請求項２の構成によれば、主走査方向における素子が配置された領域外に第２支持部が配置される場合に比べ、照射部の副走査方向における振動を抑制できる。
【００１０】
本発明の請求項３の構成によれば、照射部の副走査方向及び照射方向における振動に起因する画像不良を抑制できる。
【図面の簡単な説明】
【００１１】
【図１】本実施形態に係る画像形成装置の構成を示す概略図である。
【図２】本実施形態に係るプリントヘッドの構成を示す概略断面図である。
【図３】本実施形態に係るプリントヘッドの支持構造を示す側断面図である。
【図４】本実施形態に係るプリントヘッドの支持構造を示す正断面図である。
【図５】図３において、感光体モジュールが画像形成装置本体から取り外された状態を示す図である。
【図６】図４において、感光体モジュールが画像形成装置本体から取り外された状態を示す図である。
【図７】変形例に係るプリントヘッドの支持構造を示す側断面図である。
【図８】変形例に係るプリントヘッドの支持構造を示す側断面図である。
【発明を実施するための形態】
【００１２】
以下に、本発明に係る実施形態の一例を図面に基づき説明する。
【００１３】
（画像形成装置１０の構成）
まず、本実施形態に係る画像形成装置１０の構成を説明する。図１は、本実施形態に係る画像形成装置１０の構成を示す概略図である。
【００１４】
画像形成装置１０は、図１に示されるように、各構成部品が内部に収容される画像形成装置本体（装置筐体）１１を備えている。画像形成装置本体１１の内部には、用紙等の記録媒体Ｐが収容される記録媒体収容部１２と、記録媒体Ｐに画像を形成する画像形成部１４と、記録媒体収容部１２から画像形成部１４へ記録媒体Ｐを搬送する搬送部１６と、画像形成装置１０の各部の動作を制御する制御部２０と、が設けられている。また、画像形成装置本体１１の上部には、画像形成部１４によって画像が形成された記録媒体Ｐが排出される記録媒体排出部１８が設けられている。
【００１５】
画像形成部１４は、イエロー（Ｙ）、マゼンタ（Ｍ）、シアン（Ｃ）、ブラック（Ｋ）の各色のトナー画像を形成する画像形成ユニット２２Ｙ、２２Ｍ、２２Ｃ、２２Ｋ（以下、２２Ｙ〜２２Ｋと示す）と、画像形成ユニット２２Ｙ〜２２Ｋで形成されたトナー画像が転写される中間転写ベルト２４と、画像形成ユニット２２Ｙ〜２２Ｋで形成されたトナー画像を中間転写ベルト２４に転写する第１転写部材としての第１転写ロール２６と、第１転写ロール２６によって中間転写ベルト２４に転写されたトナー画像を中間転写ベルト２４から記録媒体Ｐへ転写する第２転写部材としての第２転写ロール２８と、第２転写ロール２８によって中間転写ベルト２４から記録媒体Ｐへ転写されたトナー画像を記録媒体Ｐに定着させる定着装置３０と、を備えている。
【００１６】
画像形成ユニット２２Ｙ〜２２Ｋは、略水平方向に沿って並んで配置されている。また、画像形成ユニット２２Ｙ〜２２Ｋは、一方向（図１における矢印Ａ方向）へ回転する感光体３２（像保持体の一例）をそれぞれ有している。
【００１７】
各感光体３２の周囲には、感光体３２の回転方向上流側から順に、感光体３２を帯電させる帯電装置３４と、帯電装置３４によって帯電した感光体３２を露光して感光体３２に静電潜像を形成する露光装置５９（光照射装置の一例）と、露光装置５９によって感光体３２に形成された静電潜像を現像する現像装置３８と、中間転写ベルト２４へのトナー画像の転写後において感光体３２に残留する現像剤を除去する除去装置４０と、が設けられている。
【００１８】
露光装置５９は、感光体３２の下方に配置されており、プリントヘッド６０（照射部の一例）と、プリントヘッド６０を支持する支持構造７０（図３参照）と、を有している。プリントヘッド６０は、下方から感光体３２の表面（被照射面の一例）に対して、制御部２０から送られた画像情報に基づき、露光光を照射して感光体３２に静電潜像を形成するようになっている。制御部２０から送られる画像情報としては、例えば、外部装置で生成されその外部装置から制御部２０が取得する画像情報や、画像形成装置１０において原稿等の画像を読み取ることで生成される画像情報などがある。なお、プリントヘッド６０及びプリントヘッド６０の支持構造７０の具体的な構成については、後述する。また、図２において、プリントヘッド６０からの露光光を符号Ｌにて示している。
【００１９】
本実施形態では、各画像形成ユニット２２Ｙ〜２２Ｋにおいて、感光体３２、帯電装置３４及び除去装置４０は、一体化された感光体モジュール２１（図３参照）として構成されている。この感光体モジュール２１のハウジング２３は、図３に示されるように、感光体３２の軸方向一端部及び軸方向他端部をそれぞれ支持する支持フレーム２３Ａ、２３Ｂと、感光体３２の軸方向に沿って支持フレーム２３Ａから支持フレーム２３Ｂに設けられた長尺フレーム２３Ｃ（図４参照）と、を有している。
【００２０】
さらに、この感光体モジュール２１は、画像形成装置本体１１に対して感光体３２の軸方向へ着脱可能に構成され、感光体３２の寿命等に応じて交換されるようになっている。なお、感光体モジュール２１としては、帯電装置３４及び除去装置４０を含まず感光体３２のみを含む構成を採用してもよいし、帯電装置３４及び除去装置４０に加えさらに現像装置３８を一体化した構成を採用してもよい。すなわち、感光体モジュール２１としては、少なくとも感光体３２を含んでいればよい。ただし、本実施形態では、感光体モジュール２１とプリントヘッド６０とが別体に構成されていることを前提としている。
【００２１】
中間転写ベルト２４は、図１に示すように、環状に形成されると共に、画像形成ユニット２２Ｙ〜２２Ｋの上側に配置されている。中間転写ベルト２４の内周側に、中間転写ベルト２４が巻き掛けられる巻掛ロール４２、４３、４４、４５が設けられている。中間転写ベルト２４は、例えば、巻掛ロール４５が回転駆動することによって、感光体３２と接触しながら一方向（図１における矢印Ｂ方向）へ循環移動（回転）するようになっている。なお、巻掛ロール４２は、中間転写ベルト２４を挟んで第２転写ロール２８に対向する対向ロールとされている。
【００２２】
また、中間転写ベルト２４の外周側には、中間転写ベルト２４の外周面に接触して、記録媒体Ｐへのトナー画像の転写後において中間転写ベルト２４に残留する現像剤を除去する除去装置２５が、中間転写ベルト２４を挟んで巻掛ロール４５に対向して設けられている。
【００２３】
第１転写ロール２６は、中間転写ベルト２４を挟んで感光体３２に対向している。第１転写ロール２６と感光体３２との間が、感光体３２に形成されたトナー画像が中間転写ベルト２４に転写される第１転写位置とされている。
【００２４】
第２転写ロール２８は、中間転写ベルト２４を挟んで巻掛ロール４２と対向している。第２転写ロール２８と巻掛ロール４２との間が、中間転写ベルト２４に転写されたトナー画像が記録媒体Ｐに転写される第２転写位置Ｔ２とされている。
【００２５】
搬送部１６は、記録媒体収容部１２に収容された記録媒体Ｐを送り出す送出ロール４６と、送出ロール４６に送り出された記録媒体Ｐが搬送される搬送路４８と、搬送路４８に沿って配置され送出ロール４６によって送り出された記録媒体Ｐを第２転写位置Ｔ２へ搬送する複数の搬送ロール５０と、を備えて構成されている。
【００２６】
定着装置３０は、第２転写位置Ｔ２から搬送された記録媒体Ｐに対し、第２転写位置Ｔ２で転写されたトナー画像を定着させる。定着装置３０よりも搬送方向下流側には、トナー画像が定着された記録媒体Ｐを記録媒体排出部１８へ排出する排出ロール５２が設けられている。
【００２７】
次に、画像形成装置１０における、記録媒体Ｐへ画像を形成する画像形成動作について説明する。
【００２８】
画像形成装置１０では、記録媒体収容部１２から送出ロール４６によって送り出された記録媒体Ｐが、複数の搬送ロール５０によって第２転写位置Ｔ２へ送り込まれる。
【００２９】
一方、画像形成ユニット２２Ｙ〜２２Ｋでは、帯電装置３４によって帯電した感光体３２が、プリントヘッド６０によって露光されて感光体３２に静電潜像が形成される。その静電潜像が現像装置３８によって現像されて感光体３２にトナー画像が形成される。画像形成ユニット２２Ｙ〜２２Ｋで形成された各色のトナー画像は、第１転写位置にて中間転写ベルト２４に重ねられて、カラー画像が形成される。そして、中間転写ベルト２４に形成されたカラー画像が、第２転写位置Ｔ２にて記録媒体Ｐへ転写される。
【００３０】
トナー画像が転写された記録媒体Ｐは、定着装置３０へ搬送され、転写されたトナー画像が定着装置３０により定着される。トナー画像が定着された記録媒体Ｐは、排出ロール５２によって記録媒体排出部１８に排出される。以上のように、一連の画像形成動作が行われる。
【００３１】
（プリントヘッド６０の構成）
次に、プリントヘッド６０の構成を説明する。図２は、プリントヘッド６０の構成を示す概略断面図である。なお、図中の矢印Ｚ方向は、プリントヘッド６０における光の照射方向を示し、図中の矢印Ｘ方向は、主走査方向（感光体３２の軸方向）を示し、図中の矢印Ｙ方向は、副走査方向を示している。
【００３２】
プリントヘッド６０は、図２に示されるように、ＬＥＤアレイ６２と、ＬＥＤアレイ６２が一方の面（図２における上面）６４Ａに実装された回路基板６４と、レンズアレイ６６と、回路基板６４の他方の面（図２における下面）を支持する支持体としてのハウジング６３と、レンズアレイ６６を支持するホルダ６８と、を有している。
【００３３】
ＬＥＤアレイ６２は、発光素子としてのＬＥＤ素子６２Ａ（発光ダイオード）が、Ｘ方向に沿って複数配置されて構成されている。具体的には、複数のＬＥＤ素子６２Ａは、例えば、Ｘ方向に沿って千鳥状に配置されている。
【００３４】
回路基板６４は、ＬＥＤアレイ６２を駆動する駆動回路（図示省略）を有している。この駆動回路（図示省略）と、ＬＥＤアレイ６２と電気的に接続されており、駆動回路（図示省略）からの駆動信号によって、ＬＥＤアレイ６２が発光するようになっている。
【００３５】
レンズアレイ６６は、ＬＥＤアレイ６２から出射した光を感光体３２上に結像させるロッドレンズ６６Ａが、Ｘ方向に沿って複数配置されて構成されている。具体的には、ロッドレンズ６６Ａは、ＬＥＤ素子６２Ａの配置に対応して、例えば、Ｘ方向に沿って千鳥状に配置されている。
【００３６】
ハウジング６３は、Ｘ方向に沿って長さを有し、樹脂材料又は金属材料で形成されたブロック（又は板状部材）で構成されている。また、ハウジング６３は、例えば、Ｘ方向視にて、Ｚ方向が長く、Ｙ方向に短くされた矩形形状をしている。
【００３７】
ホルダ６８は、ＬＥＤアレイ６２とレンズアレイ６６とが対向するように、レンズアレイ６６を支持している。具体的には、ホルダ６８は、下部がハウジング６３に接合され、上部がレンズアレイ６６に接合されている。また、ホルダ６８は、その内壁、回路基板６４及びレンズアレイ６６で囲まれた密閉空間を形成し、その空間内への外部から塵埃の侵入が抑制されている。また、ホルダ６８の両側面には、レンズアレイ６６の表面を清掃する清掃部材６７（図１参照）を案内するための案内溝６９が形成されている。
【００３８】
本実施形態のプリントヘッド６０では、Ｘ方向に沿って配置された複数のＬＥＤ素子６２Ａが発光すると共に、ロッドレンズ６６ＡがＬＥＤアレイ６２から出射した光を感光体３２上に結像させる。これにより、光がＸ方向（主走査方向）へ主走査されるようになっている。
【００３９】
ここで、本実施形態では、プリントヘッド６０は、Ｙ方向（副走査方向）よりもＺ方向（光の照射方向）で剛性（曲げ剛性）が高くされている。すなわち、プリントヘッド６０における一次固有振動数は、Ｙ方向よりもＺ方向で高くされている（高周波とされている）。
【００４０】
ここでいう剛性は、プリントヘッド６０単体での剛性であって、例えば、プリントヘッド６０の長手方向両端部（例えば、後述の支持位置Ａ１、Ａ２）で拘束された状態で測定される剛性である。すなわち、少なくとも、後述のＹ方向データム部７６とコイルバネ８６とのよる支持がなされていない状態での剛性である。
【００４１】
また、プリントヘッド６０は、Ｘ方向視にて、Ｚ方向に長さを有する形状とされているが、これに限られるものではない。プリントヘッド６０の剛性は、材料等によっても変わるものであり、形状（断面形状）のみで規定されるものではない。
【００４２】
（プリントヘッド６０の支持構造７０）
次に、プリントヘッド６０を支持する支持構造７０について説明する。
【００４３】
支持構造７０は、図３に示されるように、感光体モジュール２１に設けられた支持機構７１と、感光体モジュール２１とは別体に構成された支持機構８０と、を有している。支持機構７１は、プリントヘッド６０に対するＺ方向の位置決め（位置出し）の基準となるＺ方向データム部７２と、プリントヘッド６０に対するＸ方向の位置決め（位置出し）の基準となるＸ方向データム部７４と、プリントヘッド６０に対するＹ方向の位置決め（位置出し）の基準となるＹ方向データム部７６（図４参照）と、を有している。
【００４４】
Ｚ方向データム部７２、Ｘ方向データム部７４及びＹ方向データム部７６は、具体的には、感光体モジュール２１のハウジング２３に設けられている。これにより、Ｚ方向データム部７２、Ｘ方向データム部７４及びＹ方向データム部７６は、感光体モジュール２１と一体に画像形成装置本体１１に対して、Ｘ方向に沿って着脱されるようになっている。なお、図中の矢印Ｃ方向が、画像形成装置本体１１に対する感光体モジュール２１の取り外し方向を示している。
【００４５】
また、Ｚ方向データム部７２、Ｘ方向データム部７４及びＹ方向データム部７６は、それぞれ、位置決め（位置出し）の基準となる基準面（データム面）７２Ｍ、７４Ｍ、７６Ｍを有している。
【００４６】
Ｚ方向データム部７２は、Ｚ方向データム部７２Ａ、７２Ｂの２つで構成されている。Ｚ方向データム部７２Ａ、７２Ｂは、具体的には、感光体モジュール２１の支持フレーム２３Ａ、２３Ｂからプリントヘッド６０側（図３の下側）へ延び出るように、支持フレーム２３Ａ、２３Ｂに設けられている。そして、Ｚ方向データム部７２Ａ、７２Ｂの基準面７２Ｍは、画像形成装置本体１１に対する感光体モジュール２１の装着状態において、それぞれ、プリントヘッド６０の長手方向一端部及び他端部の上面に対して対向（接触）するになっている。
【００４７】
Ｘ方向データム部７４は、１つで構成されている。このＸ方向データム部７４は、感光体モジュール２１の支持フレーム２３Ａからプリントヘッド６０側（図３の下側）へ延び出るように、支持フレーム２３Ａに設けられている。そして、このＸ方向データム部７４の基準面７４Ｍは、画像形成装置本体１１に対する感光体モジュール２１の装着状態において、プリントヘッド６０におけるＸ方向の端面（図３（Ａ）における右側の端面）に対向（接触）するようになっている。
【００４８】
Ｙ方向データム部７６は、図４では１つのみ図示しているが、例えば、２つで構成されている。この２つのＹ方向データム部７６は、感光体モジュール２１の長尺フレーム２３Ｃからプリントヘッド６０側（図４の下側）へ延び出るように、長尺フレーム２３Ｃの長手方向両端部に設けられている。そして、２つのＹ方向データム部７６の基準面７６Ｍは、それぞれ、画像形成装置本体１１に対する感光体モジュール２１の装着状態において、プリントヘッド６０の長手方向両端部で、プリントヘッド６０におけるＹ方向側の側面（図４における左側の側面）に対向（接触）するようになっている。
【００４９】
支持機構８０は、図３に示されるように、支持フレーム９０と、プリントヘッド６０をＺ方向データム部７２に向けて付勢する付勢部材としてのコイルバネ８２（第１支持部の一例）と、プリントヘッド６０をＸ方向データム部７４に向けて付勢する付勢部材としてのコイルバネ８４と、プリントヘッド６０をＹ方向データム部７６に向けて付勢する付勢部材としてのコイルバネ８６（第２支持部の一例）と、を有している。
【００５０】
支持フレーム９０は、プリントヘッド６０の下方に配置された底壁９２と、プリントヘッド６０の長手方向（Ｘ方向）両端側の側方に配置された側壁９４、９６と、プリントヘッド６０の短手方向（Ｙ方向）の両側の側方に配置された側壁９７、９９(図４参照)と、を有している。すなわち、支持フレーム９０は、上方が開放された有底の箱状に構成されている。
【００５１】
底壁９２は、プリントヘッド６０の長手方向に沿って長さを有する板状に形成されている。底壁９２の長手方向（Ｘ方向）の一端側及び他端側には、図５及び図６に示されるように、プリントヘッド６０の上方への移動を規制する規制部としてのストッパー９３が、上方に延びるように設けられている。このストッパー９３は、図６に示されるように、Ｘ方向視にて逆Ｌ字状に形成されている。そして、このストッパー９３は、感光体モジュール２１が画像形成装置本体１１から取り外された状態（図５及び図６に示す状態）において、プリントヘッド６０の長手方向の一端側及び他端側の上面に当たることで、プリントヘッド６０の上方への移動を規制するようになっている。
【００５２】
側壁９４は、図３に示されるように、プリントヘッド６０の長手方向一端側の側面（図３における右側面）に対して隙間を有するように、底壁９２の長手方向一端側（図３における右端側）から上方へ立設されている。側壁９６は、プリントヘッド６０の長手方向他端側の側面（図３における左側面）に対して隙間を有するように、底壁９２の長手方向他端側（図３における左端側）から上方へ立設されている。
【００５３】
また、側壁９４は、側壁９６よりも高さが低くされており、プリントヘッド６０の長手方向一端側の側面（図３における右側面）を外側（図３における右側）に露出している（覆っていない）。側壁９４の上側の空間において、Ｘ方向データム部７４が、プリントヘッド６０におけるＸ方向の端面に接触するようになっている。すなわち、側壁９４の上側の空間は、プリントヘッド６０におけるＸ方向の端面に接触した状態のＸ方向データム部７４が配置される空間となっている。
【００５４】
さらに、側壁９４は、図５に示されるように、プリントヘッド６０のＸ方向（図５における右側）への移動を規制する規制部として機能するようになっている。すなわち、側壁９４は、感光体モジュール２１が画像形成装置本体１１から取り外された状態（図５及び図６に示す状態）において、プリントヘッド６０の長手方向一端側の側面（図５における右側面）に当たることで、プリントヘッド６０のＸ方向への移動を規制するようになっている。
【００５５】
側壁９７は、図４に示されるように、プリントヘッド６０の短手方向一端側の側面（図４における右側面）に対して隙間を有するように、底壁９２の短手方向の一端側（図４における右端側）から上方へ立設されている。
【００５６】
側壁９９は、プリントヘッド６０の短手方向他端側の側面（図４における左側面）に対して隙間を有するように、底壁９２の短手方向の他端側（図４における左端側）から上方へ立設されている。
【００５７】
側壁９９には、図６に示されるように、プリントヘッド６０の側方（図６における左側）への移動を規制する規制部としてのストッパー９８が設けられている。このストッパー９８は、側壁９９からプリントヘッド６０側（図６における右側）に突出している。そして、このストッパー９８は、感光体モジュール２１が画像形成装置本体１１から取り外された状態（図５及び図６に示す状態）において、プリントヘッド６０の短手方向一端側の側面（図６における左側面）に当たることで、プリントヘッド６０の側方への移動を規制するようになっている。
【００５８】
コイルバネ８２は、図４に示されるように、コイルバネ８２Ａ、８２Ｂ、８２Ｃの３つで構成されている。コイルバネ８２Ｂは、図３に示されるように、上下方向に伸縮するように、軸方向一端部が、底壁９２の長手方向一端側（図３における右端側）の上面に固定されている。このコイルバネ８２Ｂの軸方向他端部は、プリントヘッド６０の長手方向一端部の下面に接触している。
【００５９】
コイルバネ８２Ａ、８２Ｃは、図３に示されるように、上下方向に伸縮するように、軸方向一端部が、底壁９２の長手方向他端側（図３における左端側）の上面に固定されている。さらに、このコイルバネ８２Ａ、８２Ｃは、図４に示されるように、Ｘ方向視にて、コイルバネ８２Ｂを間に挟むように、底壁９２の短手方向（Ｙ方向）に沿って配置されている。そして、このコイルバネ８２Ａ、８２Ｃの軸方向他端部は、プリントヘッド６０の長手方向他端部の下面に接触している。
【００６０】
以上のように、コイルバネ８２Ａ、８２Ｂ、８２Ｃが、プリントヘッド６０の下面に接触することで、コイルバネ８２Ａ、８２Ｂ、８２Ｃは、プリントヘッド６０の下面を上方に押して、プリントヘッド６０をＺ方向データム部７２に向けて付勢している。そして、この付勢力によって、プリントヘッド６０の上面が、Ｚ方向データム部７２の基準面７２Ｍに当たることで、プリントヘッド６０がＺ方向に位置決めされるようになっている。
【００６１】
コイルバネ８４は、図３に示されるように、コイルバネ８４Ａ、８４Ｂの２つで構成されている。コイルバネ８４Ａ、８４Ｂは、Ｘ方向に伸縮するように、軸方向一端部が、側壁９６のプリントヘッド６０に対向する側の側面（図３における右側面）に固定されている。コイルバネ８４Ｂは、具体的には、図４に示されるように、コイルバネ８４Ａに対して、上側であって、側壁９９側（図４における左側）に配置されている。さらに、このコイルバネ８４Ａ、８４Ｂの軸方向他端部は、図３に示されるように、プリントヘッド６０の長手方向他端側の側面（図３における左側面）に接触している。
【００６２】
これにより、コイルバネ８４Ａ、８４Ｂは、プリントヘッド６０の図３における左側面を右側へ押して、プリントヘッド６０をＸ方向データム部７４に向けて付勢している。そして、この付勢力によって、プリントヘッド６０の右側面が、Ｘ方向データム部７４の基準面７４Ｍに当たることで、プリントヘッド６０がＸ方向に位置決めされるようになっている。
【００６３】
コイルバネ８６は、図３に示されるように、１つで構成されている。コイルバネ８６は、図４に示されるように、Ｙ方向に伸縮するように、軸方向一端部が、側壁９７のプリントヘッド６０に対向する側の側面（図４における左側面）に固定されている。そして、このコイルバネ８６の軸方向他端部は、プリントヘッド６０の短手方向一端側の側面（図４における右側面）に接触している。
【００６４】
これにより、コイルバネ８６は、プリントヘッド６０の図４における右側面を左側へ押して、プリントヘッド６０をＹ方向データム部７６に向けて付勢している。そして、この付勢力によって、プリントヘッド６０の左側面が、Ｙ方向データム部７６の基準面７６Ｍに当たることで、プリントヘッド６０がＹ方向に位置決めされるようになっている。
【００６５】
ここで、本実施形態では、コイルバネ８６は、図３に示されるように、プリントヘッド６０の長手方向中央に接触している。すなわち、コイルバネ８６は、Ｙ方向視にて、コイルバネ８２ＢとＺ方向データム部７２Ａとによる支持位置Ａ１と、コイルバネ８２Ａ、８２ＣとＺ方向データム部７２Ｂとによる支持位置Ａ２との間で、プリントヘッド６０をＹ方向に支持している。さらに、具体的には、コイルバネ８６は、Ｙ方向視にて、Ｘ方向におけるＬＥＤアレイ６２（ＬＥＤ素子６２Ａ）が配置された配置領域Ｒ内でプリントヘッド６０を支持している。
【００６６】
なお、Ｙ方向データム部７６とコイルバネ８６とによる支持がなされた状態では、プリントヘッド６０におけるＹ方向（副走査方向）の剛性と、Ｚ方向（光の照射方向）の剛性との差は、プリントヘッド６０単体における場合よりも小さくなるか、Ｚ方向よりもＹ方向で剛性が高くされる。また、プリントヘッド６０及び支持構造７０（コイルバネ８２、８４、８６）によって構成される振動系における一次固有振動数は、Ｙ方向の振動における周波数と、Ｚ方向の振動における周波数との差は、プリントヘッド６０単体における場合よりも小さくなるか、Ｚ方向よりもＹ方向で高くされている（高周波とされている）。
【００６７】
このように、本実施形態では、コイルバネ８２、８４、８６が、Ｚ方向に３つ、Ｘ方向に２つ、Ｙ方向に１つ設けられている。すなわち、Ｚ方向、Ｘ方向、Ｙ方向で、コイルバネ８２、８４、８６の数が異なっている。また、コイルバネ８２、８６は、プリントヘッド６０自体の剛性が高いＺ方向において、剛性が低いＹ方向よりも、数が多くなっている。なお、プリントヘッド６０自体の剛性が高いＺ方向において、剛性が低いＹ方向よりも、コイルバネの数が多い構成としては、例えば、Ｚ方向のコイルバネ８２が４つで、Ｙ方向のコイルバネ８６が２つであってもよい。
【００６８】
（本実施形態に係る作用）
次に、本実施形態に係る作用を説明する。
【００６９】
本実施形態の構成では、感光体モジュール２１が画像形成装置本体１１から取り外された状態（図５及び図６に示す状態）において、プリントヘッド６０は、コイルバネ８２によって上方に向かってストッパー９３に押し付けられている。また、プリントヘッド６０は、コイルバネ８４によってＸ方向に向かって側壁９４に押し付けられている。さらに、プリントヘッド６０は、コイルバネ８６によってＹ方向に向かってストッパー９８に押し付けられている。
【００７０】
感光体モジュール２１が画像形成装置本体１１に装着されると（図３及び図４参照）、Ｚ方向データム部７２が、コイルバネ８２の付勢力に対抗して、プリントヘッド６０を下方へ押し下げる。また、Ｘ方向データム部７４が、コイルバネ８４の付勢力に対抗して、プリントヘッド６０をＸ方向（図３における左側）へ押し込む。さらに、Ｙ方向データム部７６が、コイルバネ８６の付勢力に対抗して、プリントヘッド６０をＹ方向（図４における右側）へ押し込む。
【００７１】
そして、感光体モジュール２１が画像形成装置本体１１に装着された状態では、Ｚ方向データム部７２の基準面７２Ｍ、Ｘ方向データム部７４の基準面７４Ｍ及びＹ方向データム部７６の基準面７６Ｍのそれぞれが、プリントヘッド６０に対して当たった状態となる。これにより、プリントヘッド６０がＺ方向、Ｘ方向及びＹ方向で位置決めされる。
【００７２】
ここで、プリントヘッド６０単体での剛性は、Ｙ方向よりもＺ方向で高くされている。このため、Ｚ方向、Ｘ方向及びＹ方向で位置決めたプリントヘッド６０に対して、Ｚ方向の振動が入力された場合には、プリントヘッド６０単体での剛性が、Ｚ方向よりもＹ方向で高くされた比較例に比べ、Ｚ方向の振動が小さく抑えられる。すなわち、Ｚ方向の振動が高周波となるため、バンディング（縞状の濃度ムラ）のピッチが小さく、画質不良が抑制される。
【００７３】
さらに、プリントヘッド６０は、Ｙ方向データム部７６とコイルバネ８６とによって、長手方向（Ｘ方向）の中央で支持されている。このため、Ｚ方向、Ｘ方向及びＹ方向で位置決めたプリントヘッド６０に対して、Ｙ方向の振動が入力された場合でも、支持位置Ａ１と支持位置Ａ２との外側で支持する比較例の場合に比べ、Ｙ方向の振動が小さく抑えられる。すなわち、Ｙ方向の振動が高周波となるため、バンディング（縞状の濃度ムラ）のピッチが小さく、画質不良が抑制される。
【００７４】
このように、本実施形態では、プリントヘッド６０自体の剛性により、Ｚ方向の振動を抑制し、Ｙ方向データム部７６とコイルバネ８６とによる支持によって、プリントヘッド６０及び支持構造７０（コイルバネ８２、８４、８６）によって構成される振動系として、Ｙ方向の振動を抑制する。
【００７５】
ここで、Ｙ方向は画像面に沿った副走査方向であるため、Ｙ方向の振動の方が、Ｚ方向の振動よりも、バンディング発生に対する感度が高い。すなわち、Ｙ方向の振動の方が、Ｚ方向の振動よりも、バンディングとして、画像に表れやすい。
【００７６】
上述のように、Ｙ方向の振動は、プリントヘッド６０自体の剛性でなく、Ｙ方向データム部７６とコイルバネ８６とによる支持によって、Ｙ方向の振動を抑制するので、Ｙ方向データム部７６とコイルバネ８６との位置を変更すること等により、画像形成装置１０の稼働後であっても、Ｙ方向の固有振動数を微調整が可能となる。従って、本実施形態の構成では、Ｙ方向の固有振動数の微調整がしやすく、バンディング発生に対する感度が高いＹ方向の振動を抑制する効果が高い。
【００７７】
一方、プリントヘッド６０の上部にレンズアレイ６６があるためプリントヘッド６０の配置領域ＲにＺ方向データム部７２及びコイルバネ８２を設置することが困難であることと、Ｚ方向の振動の方がＹ方向の振動よりもバンディング発生に対する感度が低いこととに鑑み、Ｚ方向の振動は、プリントヘッド６０自体の剛性により抑制している。
【００７８】
本実施形態は、画像形成装置１０の稼働後であっても調整が行いやすい構成を、バンディング発生に対する感度が高い振動の方向（Ｙ方向）に採用して、振動を抑制の効果を狙ったものである。
【００７９】
さらに、本実施形態のように、コイルバネ８６が、Ｘ方向におけるＬＥＤアレイ６２が配置された配置領域Ｒ内でプリントヘッド６０を支持する場合では、プリントヘッド６０をＹ方向に湾曲させるおそれがあるが、本実施形態では、１つのコイルバネ８６による１点支持であるので、湾曲しづらく、また、累積公差も小さくなる。
【００８０】
（変形例）
本実施形態では、Ｚ方向データム部７２、Ｘ方向データム部７４及びＹ方向データム部７６は、感光体モジュール２１と一体に画像形成装置本体１１に対して、Ｘ方向に沿って着脱されるようになっていたが、これに限られず、例えば、Ｚ方向データム部７２、Ｘ方向データム部７４及びＹ方向データム部７６が画像形成装置本体１１に対して固定された構成であってもよい。この構成としては、例えば、感光体３２が画像形成装置本体１１に対して着脱されず、感光体３２のハウジング２３が画像形成装置本体１１に対して固定され、そのハウジング２３にＺ方向データム部７２、Ｘ方向データム部７４及びＹ方向データム部７６が固定される構成が考えられる。
【００８１】
また、本実施形態では、支持フレーム９０を有していたが、これに限られず、プリントヘッド６０が直接、画像形成装置本体１１に支持される構成であってもよい。
【００８２】
また、本実施形態では、コイルバネ８２、８４、８６が、Ｚ方向に３つ、Ｘ方向に２つ、Ｙ方向に１つ設けられていたが、これに限られない。また、コイルバネ８２、８６は、プリントヘッド６０自体の剛性が高いＺ方向において、剛性が低いＹ方向よりも、数が多くなっていたが、これに限られず、数が少なくてもよい。
【００８３】
また、本実施形態では、コイルバネ８６は、１つで構成されていたが、２つ（図７参照）や３つ（図８参照）で構成されていてもよく、また、４つ以上で構成されていてもよい。      
【００８４】
例えば、コイルバネ８６が、図７に示されるように、２つで構成される場合には、コイルバネ８６Ａと支持位置Ａ１との距離及びコイルバネ８６Ｂと支持位置Ａ２との距離が、支持位置Ａ１と支持位置Ａ２との距離を１／４にした距離と、等しくなることが望ましい。これにより、プリントヘッド６０及び支持構造７０（コイルバネ８２、８４、８６）によって構成される振動系の固有振動数を高く（高周波に）設定可能となる。
【００８５】
また、コイルバネ８６が、図８に示されるように、３つで構成される場合には、コイルバネ８６Ａと支持位置Ａ１との距離及びコイルバネ８６Ｃと支持位置Ａ２との距離が、支持位置Ａ１と支持位置Ａ２との距離を１／６にした距離と、等しくなることが望ましい。また、コイルバネ８６Ｂは、プリントヘッド６０の長手方向中央に配置されることが望ましい。これにより、プリントヘッド６０及び支持構造７０（コイルバネ８２、８４、８６）によって構成される振動系の固有振動数を高く（高周波に）設定可能となる。また、コイルバネ８６Ａ、８６Ｃが、プリントヘッド６０の上部側に配置され、コイルバネ８６Ｂがプリントヘッド６０の下部側に配置されるように、コイルバネ８６Ａ、８６Ｂ８６ＣがＺ方向に分散されて配置されることが望ましい。
【００８６】
上記のように、コイルバネ８６が複数である場合には、その間隔を調整することで、固有振動数を調整しやすく、設計の自由度が向上する。なお、コイルバネ８６を複数とすると、プリントヘッド６０のＹ方向の湾曲が懸念されるが、プリントヘッド６０の湾曲による画像への影響を、画像処理による補正が可能なシステムにおいては、画像への影響を抑えられる。
【００８７】
本発明は、上記の実施形態に限るものではなく、種々の変形、変更、改良が可能である。例えば、上記に示した変形例は、適宜、複数を組み合わせて構成しても良い。
【符号の説明】
【００８８】
１０   画像形成装置
３２   感光体（像保持体の一例）
５９   露光装置（光照射装置の一例）
６０   プリントヘッド（照射部の一例）
６２Ａ ＬＥＤ素子（素子の一例）
８２   コイルバネ（第１支持部の一例）
８６   コイルバネ（第２支持部の一例）
【図１】
2015000549.tif 000003
【図２】
2015000549.tif 000004
【図３】
2015000549.tif 000005
【図４】
2015000549.tif 000006
【図５】
2015000549.tif 000007
【図６】
2015000549.tif 000008
【図７】
2015000549.tif 000009
【図８】
2015000549.tif 000010